(57)【特許請求の範囲】
【請求項１】
充電アダプタであって、
背中合わせの両側面には少なくとも一つの充電ポートがそれぞれ設けられ、前記充電ポートは、バッテリの充電インターフェースに電気的に接続することで、前記バッテリを充電するためのものである仕切り板と、
二つの側板であって、前記仕切り板の両側にそれぞれ枢着されることで、前記二つの側板が前記仕切り板に対してそれぞれ回転できるようにし、これにより枢着箇所から離れた二つの側板の外辺縁が前記仕切り板から離れ、または前記仕切り板に近接できるようにして、前記仕切り板の両側面を露出させ、または遮蔽し、それによって前記充電アダプタがオープン状態または折り畳み状態になるようにする二つの側板と、を備え、
前記充電アダプタが前記バッテリを充電するとき、少なくとも一つの前記側板は、前記仕切り板に対して回転することで、前記側板の外辺縁を前記仕切り板から離れさせて、前記仕切り板の少なくとも一つの側面の前記充電ポートを露出させ、露出した前記充電ポートを利用して前記バッテリを充電し、
凹み溝がさらに設けられ、前記凹み溝内の凹みは、前記仕切り板の底部に形成され、かつ前記仕切り板の長手方向に沿って延在し、かつ前記仕切り板の両端にそれぞれ設けられた二つの端板のうちいずれかの端板を貫通し、
電源ポートがさらに設けられ、電源ポートは、前記凹み溝内の前記仕切り板に設けられ、
円弧状溝がさらに設けられ、前記二つの側板の底部に形成され、かつ前記電源ポートに隣接し、かつ前記二つの側板を貫通して前記凹み溝に接続されて連通することを特徴とする、
充電アダプタ。
【請求項２】
前記二つの端板をさらに備え、かつ前記二つの端板の幅は、前記仕切り板の両端の幅よりも大きく、それによって前記側板を前記仕切り板に被せ合わせるとき、前記仕切り板の両側面に設けられた前記充電ポートが収納されるように前記側板、前記仕切り板、及び前記端板の間に収納空間が形成されることを特徴とする、
請求項１に記載の充電アダプタ。
【請求項３】
前記電源ポートは、いずれかの前記端板または前記仕切り板の底部に設けられ、外部電源に電気的に接続するためのものであり、
かつ前記電源ポートが前記充電ポートに電気的に接続することで、前記充電アダプタは、露出した前記充電ポートにより前記バッテリを充電することができることを特徴とする、
請求項２に記載の充電アダプタ。
【請求項４】
前記仕切り板の背中合わせの両側面には複数の充電ポートがそれぞれ設けられ、
かつ仕切り板の各側面の複数の前記充電ポートは、前記仕切り板の長手方向に沿って並べられて間隔をあけて設けられることを特徴とする、
請求項１に記載の充電アダプタ。
【請求項５】
前記複数の充電ポートは、前記仕切り板の両側面においてそれぞれ対称に、または交差して設けられるか、
各前記充電ポートは、複数の並列に設けられた電極シート、及び電極環状部をそれぞれ備え、前記電極環状部は、前記仕切り板の側面から突出して設けられ、一方、前記電極シートは、前記電極環状部内の前記仕切り板の側面に設けられ、前記バッテリを充電するとき、前記バッテリの充電インターフェースは、前記電極環状部に挿入され、かつ前記電極シートに接触し、前記側板には各前記充電ポートに対応してそれぞれ凹み溝が設けられ、前記側板を前記仕切り板に被せ合わせるとき、各前記充電ポートの前記電極環状部は、前記電極シートとともに前記凹み溝に収納されるか、
の少なくとも一つであることを特徴とする、
請求項４に記載の充電アダプタ。
【請求項６】
前記側板を被せ合わせるとき、前記側板を前記仕切り板に固定するための少なくとも一つの固定アセンブリをさらに有することを特徴とする、
請求項２に記載の充電アダプタ。
【請求項７】
前記固定アセンブリは、磁性アセンブリであり、第１磁性部品及び第２磁性部品を備え、前記第１磁性部品は、前記仕切り板に設けられ、一方、前記第２磁性部品は、前記二つの側板にそれぞれ対応して設けられ、前記側板を被せ合わせるとき、前記第１磁性部品は、前記第２磁性部品と互いに吸着して前記側板を前記仕切り板に固定するか、
前記固定アセンブリは、第１係合アセンブリであり、それは、係合部、係合溝を備え、前記係合溝内の凹みは、前記仕切り板または前記側板のいずれかの側面に形成され、一方、前記係合部は、前記仕切り板または前記側板の他方の対応する側面に突出して設けられ、前記側板を被せ合わせるとき、前記係合部は、前記係合溝内に係合することで前記側板を前記仕切り板に固定するか、
前記固定アセンブリは、第２係合アセンブリであり、凹み部、弾性凸部を備え、前記凹み部は、各前記側板の両端に設けられ、前記弾性凸部は、前記二つの端板の対向する両側に対応して設けられ、前記側板を被せ合わせるとき、前記弾性凸部は、前記凹み部に係合することで前記側板を前記端板に固定するか、
の少なくとも一つであることを特徴とする、
請求項６に記載の充電アダプタ。
【請求項８】
無人機のバッテリを充電するための充電装置であって、
充電アダプタを有し、前記充電アダプタは、
背中合わせの両側面には少なくとも一つの充電ポートがそれぞれ設けられ、前記充電ポートは、バッテリの充電インターフェースに電気的に接続することで、前記バッテリを充電するためのものである仕切り板と、
二つの側板であって、前記仕切り板の両側にそれぞれ枢着されることで、前記二つの側板が前記仕切り板に対してそれぞれ回転できるようにし、これにより枢着箇所から離れた二つの側板の外辺縁が前記仕切り板から離れ、または前記仕切り板に近接できるようにして、前記仕切り板の両側面を露出させ、または遮蔽し、それによって前記充電アダプタがオープン状態または折り畳み状態になるようにする二つの側板と、を備え、
前記充電アダプタが前記バッテリを充電するとき、少なくとも一つの前記側板は、前記仕切り板に対して回転することで、前記側板の外辺縁を前記仕切り板から離れさせて、前記仕切り板の少なくとも一つの側面の前記充電ポートを露出させ、露出した前記充電ポートを利用して前記バッテリを充電し、
凹み溝がさらに設けられ、前記凹み溝内の凹みは、前記仕切り板の底部に形成され、かつ前記仕切り板の長手方向に沿って延在し、かつ前記仕切り板の両端にそれぞれ設けられた二つの端板のうちいずれかの端板を貫通し、
電源ポートがさらに設けられ、前記電源ポートは、前記凹み溝内の前記仕切り板に設けられ、
円弧状溝がさらに設けられ、前記二つの側板の底部に形成され、かつ前記電源ポートに隣接し、かつ前記二つの側板を貫通して前記凹み溝に接続されて連通することを特徴とする、
充電装置。
【請求項９】
前記二つの端板をさらに備え、かつ前記二つの端板の幅は、前記仕切り板の両端の幅よりも大きいことで、前記側板が前記仕切り板に被せ合わさるとき、前記仕切り板の両側面に設けられた前記充電ポートが収納されるように、前記側板、前記仕切り板、及び前記端板の間に収納空間が形成されることを特徴とする、
請求項８に記載の充電装置。
【請求項１０】
前記電源ポートは、いずれかの前記端板または前記仕切り板の底部に設けられ、外部電源に電気的に接続するためのものであり、
かつ前記電源ポートを前記充電ポートに電気的に接続することで、前記充電アダプタは、露出した前記充電ポートにより前記バッテリを充電することができることを特徴とする、
請求項９に記載の充電装置。
【請求項１１】
前記仕切り板の背中合わせの両側面には複数の充電ポートがそれぞれ設けられ、
かつ前記仕切り板の各側面の複数の前記充電ポートは、前記仕切り板の長手方向に沿って並べられて間隔をあけて設けられることを特徴とする、
請求項８に記載の充電装置。
【請求項１２】
前記複数の充電ポートは、前記仕切り板の両側面においてそれぞれ対称に、または交差して設けられるか、
各前記充電ポートは、複数の並列に設けられた電極シート、及び電極環状部をそれぞれ備え、前記電極環状部は、前記仕切り板の側面から突出して設けられ、一方、前記電極シートは、前記電極環状部内の前記仕切り板の側面に設けられ、前記バッテリを充電するとき、前記バッテリの充電インターフェースは、前記電極環状部に挿入され、かつ前記電極シートに接触し、しかも前記側板には各前記充電ポートに対応してそれぞれ凹み溝が設けられ、前記側板を前記仕切り板に被せ合わせるとき、各前記充電ポートの前記電極環状部は、前記電極シートとともに前記凹み溝に収納されるか、
の少なくとも一つであることを特徴とする、
請求項１１に記載の充電装置。
【請求項１３】
前記側板を被せ合わせるとき、前記側板を前記仕切り板に固定するための少なくとも一つの固定アセンブリをさらに有することを特徴とする、
請求項９に記載の充電装置。
【請求項１４】
前記固定アセンブリは、磁性アセンブリであり、それは、第１磁性部品及び第２磁性部品を備え、前記第１磁性部品は、前記仕切り板に設けられ、一方、前記第２磁性部品は、前記二つの側板にそれぞれ対応して設けられ、前記側板を被せ合わせるとき、前記第１磁性部品は、前記第２磁性部品と互いに吸着して前記側板を前記仕切り板に固定するか、
前記固定アセンブリは、第１係合アセンブリであり、係合部、係合溝を備え、前記係合溝内の凹みは、前記仕切り板または前記側板のいずれかの側面に形成され、一方、前記係合部は、前記仕切り板または前記側板の他方の対応する側面に突出して設けられ、前記側板を被せ合わせるとき、前記係合部は、前記係合溝内に係合することで前記側板を前記仕切り板に固定するか、
前記固定アセンブリは、第２係合アセンブリであり、凹み部、弾性凸部を備え、前記凹み部は、各前記側板の両端に設けられ、前記弾性凸部は、前記二つの端板の対向する両側に対応して設けられ、前記側板を被せ合わせるとき、前記弾性凸部が前記凹み部に係止することで前記側板を前記端板に固定するか、
の少なくとも一つであることを特徴とする、
請求項１３に記載の充電装置。
【発明の詳細な説明】
【技術分野】
【０００１】
本発明は、充電分野に関し、特に充電アダプタ及び充電装置に関する。
【背景技術】
【０００２】
バッテリは現在、各種のポータブル端末及びツール、特に無人機などで不可欠な素子になっている。無人機が急速に発展し、普及することに伴い、バッテリの駆動時間もますます重要になっているが、バッテリ容量にはやはり限界があり、突破することが難しい。このため、多くの場合、例えば、充電速度及び充電装置といった充電面を工夫することでバッテリの充電を行いやすくすることが必要であり、通常は、無人機の航続を保証するために、携帯式充電装置が必要となる。
【０００３】
複数のバッテリを同時に充電する必要があるとき、通常は、複数の充電ポートを持つ充電器が必要となり、現在、市場では無人機の複数のバッテリに充電できる充電器は通常、タブレット型を採用しており、タブレット上に複数の充電ポートを並べて設けるので、空間を占有し、携帯しにくいだけでなく、美観も損ない、利用率も低くなってしまう。
【発明の概要】
【発明が解決しようとする課題】
【０００４】
本発明が主に解決する課題は、占有空間を効果的に減らすことができ、携帯しやすい充電アダプタ及びその充電装置を提供することである。
【課題を解決するための手段】
【０００５】
上述の技術的課題を解決するために、本発明の実施例は、仕切り板、二つの側板を有する充電アダプタを提供し、前記仕切り板の背中合わせの両側面には少なくとも一つの充電ポートがそれぞれ設けられ、前記充電ポートは、バッテリの充電インターフェースに電気的に接続されることで、前記バッテリを充電するためのものである。前記二つの側板は、前記仕切り板の両側にそれぞれ枢着されることで、前記二つの側板が前記仕切り板に対してそれぞれ回転できるようにし、これにより前記枢着箇所から離れた二つの側板の外辺縁が前記仕切り板から離れ、または前記仕切り板に近接できるようにして、前記仕切り板の両側面を露出させ、または遮蔽し、それによって前記充電アダプタがオープン状態または折り畳み状態になるようにする。
【０００６】
ここで、前記充電アダプタが前記バッテリを充電するとき、少なくとも一つの前記側板は、前記仕切り板に対して回転することで、前記側板の外辺縁を前記仕切り板から離れさせて、前記仕切り板の少なくとも一つの側面の前記充電ポートを露出させ、露出した前記充電ポートを利用して前記バッテリを充電する。
【０００７】
任意選択的に、前記充電アダプタは、前記仕切り板の両端に設けられた二つの側板をさらに備え、前記二つの端板の幅は、前記仕切り板の両端の幅よりも大きく、それによって前記側板を前記仕切り板に被せ合わせるとき、前記仕切り板の両側面に設けられた前記充電ポートが収納されるように、前記側板、前記仕切り板、及び前記端板の間に収納空間が形成される。
【０００８】
任意選択的に、前記充電アダプタは、いずれかの前記端板または前記仕切り板の底部に設けられた電源ポートをさらに備え、前記電源ポートは、外部電源に電気的に接続するためのものであり、かつ前記電源ポートを前記充電ポートに電気的に接続することで、前記充電アダプタは、露出した前記充電ポートにより前記バッテリを充電することができる。
【０００９】
任意選択的に、前記充電アダプタは、前記仕切り板の板体内に設けられた充電回路をさらに備え、前記電源ポートは、前記充電回路により、前記仕切り板の両側面に設けられた前記充電ポートに電気的に接続される。
【００１０】
任意選択的に、前記充電アダプタには凹み溝がさらに設けられ、前記凹み溝内の凹みは、前記仕切り板の底部に形成され、かつ前記仕切り板の長手方向に沿って延在し、かついずれかの前記端板を貫通し、前記電源ポートは、前記凹み溝内の前記仕切り板に設けられる。
【００１１】
任意選択的に、前記充電アダプタには円弧状溝がさらに設けられ、前記円弧状溝は、前記二つの側板の底部に形成され、かつ前記電源ポートに隣接し、前記二つの側板を貫通して前記凹み溝に接続されて連通する。
【００１２】
任意選択的に、前記仕切り板の背中合わせの両側面には複数の前記充電ポートがそれぞれ設けられ、かつ前記仕切り板の各側面の複数の前記充電ポートは、前記仕切り板の長手方向に沿って並べられて間隔をあけて設けられる。
【００１３】
任意選択的に、前記複数の充電ポートは、前記仕切り板の両側面においてそれぞれ対称に、または交差して設けられる。
【００１４】
任意選択的に、各前記充電ポートはそれぞれ、複数の並列に設けられた電極シート、及び電極環状部を備え、ここで、前記電極環状部は、前記仕切り板の側面から突出して設けられ、一方、前記電極シートは、前記電極環状部内の前記仕切り板の側面に設けられ、前記バッテリを充電するとき、前記バッテリの充電インターフェースは、前記電極環状部に挿入され、前記電極シートに接触する。
【００１５】
しかも前記側板には各前記充電ポートに対応してそれぞれ凹み溝が設けられ、前記側板を前記仕切り板に被せ合わせるとき、各前記充電ポートの前記電極環状部は、前記電極シートとともに前記凹み溝に収納される。
【００１６】
任意選択的に、前記充電アダプタはさらに、前記側板を被せ合わせるとき、前記側板を前記仕切り板に固定するための少なくとも一つの固定アセンブリを備える。
【００１７】
さらに、前記固定アセンブリは、磁性アセンブリであって、第１磁性部品及び第２磁性部品を有する。ここで、前記第１磁性部品は、前記仕切り板に設けられ、一方、前記第２磁性部品は、前記二つの側板にそれぞれ対応して設けられ、前記側板を被せ合わせるとき、前記第１磁性部品は、前記第２磁性部品と互いに吸着して前記側板を前記仕切り板に固定する。
【００１８】
任意選択的に、前記固定アセンブリは、さらに第１係合アセンブリであってよく、それは係合部、係合溝を有する。ここで、前記係合溝内の凹みは、前記仕切り板または前記側板のいずれかの側面に形成され、一方、前記係合部は、前記仕切り板または前記側板の他方の対応する側面に突出して設けられ、前記側板を被せ合わせるとき、前記係合部は、前記係合溝内に係合することで前記側板を前記仕切り板に固定する。
【００１９】
任意選択的に、前記固定アセンブリは、さらに第２係合アセンブリであってよく、それは凹み部、弾性凸部を備え、前記凹み部は、各前記側板の両端に設けられ、前記弾性凸部は、前記二つの端板の対向する両側に設けられ、前記側板を被せ合わせるとき、前記弾性凸部は、前記凹み部に係止することで前記側板を前記端板に固定する。
【００２０】
本発明の実施例は、上述の本発明の実施例により提供された充電アダプタを有する、無人機のバッテリを充電するための充電装置をさらに提供する。
【００２１】
従来技術と比較して、本発明の有益な効果は、充電ポートを仕切り板に設け、かつ仕切り板の両側に二つの側板が枢着されることにより、二つの側板が前記仕切り板に対して回転でき、前記充電アダプタが前記バッテリを充電するときにオープン状態になるようにし、充電を行わないときに折り畳み状態になるようにし、このようにして、充電アダプタの体積を効果的に減らし、充電アダプタの構造をさらにコンパクトにし、携帯しやすくすることである。
【図面の簡単な説明】
【００２２】
【図１】本発明の充電アダプタの第一実施例のオープン状態時の構造概略図である。
【図２】本発明の充電アダプタの第一実施例のオープン状態時の他の構造概略図である。
【図３】本発明の充電アダプタの第一実施例の回路概略図である。
【図４】本発明の充電アダプタの第一実施例の折り畳み状態時の構造概略図である。
【図５】本発明の充電アダプタの第一実施例の折り畳み状態時の他の構造概略図である。
【図６】本発明の充電アダプタの第一実施例のオープン状態時の別の構造概略図である。
【図７】本発明の充電アダプタの第一実施例における充電アダプタとバッテリの構造概略図である。
【図８】本発明の充電アダプタの第二実施例の構造概略図である。
【図９】本発明の充電装置の実施例の概略図である。
【発明を実施するための形態】
【００２３】
図１と図７を参照すると、本発明の充電アダプタの第一実施例は、仕切り板１１、二つの側板１２を備える。ここで、仕切り板１１の背中合わせの両側面には少なくとも一つの充電ポート１１１がそれぞれ設けられ、充電ポート１１１は、バッテリ２の充電インターフェースに電気的に接続することで、バッテリ２を充電するためのものである。二つの側板１２は、仕切り板１１の両側にそれぞれ枢着されることで、二つの側板１２が仕切り板１１に対してそれぞれ回転できるようにし、これにより枢着箇所から離れた二つの側板１２の外辺縁が仕切り板１１から離れ、または仕切り板１１に近接できるようにして、仕切り板１１の両側面を露出させ、または遮蔽し、それによって充電アダプタ１がオープン状態または折り畳み状態になるようにする。
【００２４】
ここで、充電アダプタ１がバッテリ２を充電するとき、少なくとも一つの側板１２は、仕切り板１１に対して回転することで、側板１２の外辺縁を仕切り板１１から離れさせて、仕切り板１１の少なくとも一つの側面の充電ポート１１１を露出させ、露出した充電ポート１１１を利用してバッテリ２を充電する。
【００２５】
本実施例において、充電アダプタ１は、内蔵セルにより少なくとも一つの充電ポート１１１へ電気供給でき、外部電源により少なくとも一つの充電ポート１１１へ電気供給してもよく、これによりバッテリ２を充電する。
【００２６】
任意選択的に、仕切り板１１の各側面には１〜５０個の充電ポート１１１が設けられ、任意選択的に、４〜３０個であり、任意選択的に、６〜２０個である。任意選択的に、仕切り板１１の二つの側板１２に設けられた充電ポート１１１の数は、同一であってよく、異なってもよい。任意選択的に、仕切り板１１の上のすべての充電ポート１１１はいずれもそれぞれ独立しており、互いに動作に影響しない。当然ながら、独立していなくてもよい。
【００２７】
充電ポート１１１を仕切り板１１に設け、かつ仕切り板１１の両側に二つの側板１２が枢着されることにより、二つの側板１２が仕切り板１１に対して回転でき、充電アダプタ１がバッテリ２を充電するときにオープン状態になるようにし、充電しないときに折り畳み状態になるようにし、このようにして、充電アダプタ１の体積を効果的に減らし、充電アダプタ１の構造をさらにコンパクトにし、携帯しやすくし、これにより既存のタブレット型充電器の占有空間が大きく、携帯と収納が不便であるなどという課題を改善するものである。また、複数のバッテリに同時に充電でき、使用しやすく、無人機の航続に対する要求を満たすものである。
【００２８】
続いて、図１を参照し、任意選択的に、充電アダプタ１は、二つの端板１３をさらに備える。二つの端板１３は、仕切り板１１の両端にそれぞれ設けられ、かつ二つの端板１３の幅は、仕切り板１１の両端の幅、すなわち仕切り板１１の厚みよりも大きいことで、側板１２が仕切り板１１に被せ合わさるとき、仕切り板１１の両側面に設けられた充電ポート１１１が収納されるように、側板１２、仕切り板１１、及び端板１３の間に収納空間が形成される。即ち、各側板１２、仕切り板１１、及び二つの端板１３に収納空間が形成され、仕切り板１１の両側は、二つの収納空間を形成し、それぞれ仕切り板１１の両側の充電ポート１１１を収納する。任意選択的に、枢着箇所から離れた二つの側板１２の外辺縁は、それぞれ二つの側板１２の本体と円弧状を呈して移行し、または折れ曲がって移行することで、側板１２を仕切り板１１に被せ合わせるとき、枢着箇所から離れた二つの側板１２の外辺縁が側板１２に接触し、または近接し、収納空間を形成する。
【００２９】
本実施例において、二つの端板１３の幅とは、仕切り板１１の両側面に垂直な方向上の長さであり、仕切り板１１の両端の幅とは、仕切り板１１の両端面が仕切り板１１の両側面に垂直な方向上の幅であり、即ち、仕切り板１１の厚みである。
【００３０】
図１及び図３を参照し、任意選択的に、充電アダプタ１は、電源ポート１４をさらに備える。電源ポート１４は、いずれかの端板１３に設けられ、電源ポート１４は、外部電源に電気的に接続するためのものであり、かつ電源ポート１４が充電ポート１１１に電気的に接続することで、充電アダプタ１は、露出した充電ポート１１１によりバッテリ２を充電することができる。本実施例において、仕切り板１１は、一定の厚みを有し、電源ポート１４と充電ポート１１１との間の接続回路、または回路基板などは、仕切り板１１の板体内に位置し、例えば、仕切り板１１の内部は、一定の空間を有し、または中空板であり、これにより回路及び回路基板などの素子を配置する。本実施例において、充電ポート１１１は、端板１３を突き抜けた導線により電源ポート１４に接続でき、例えば、電源ポート１４は、電源プラグであり、通電タップに挿入することにより電源を入れるためのものである。電源ポート１４は、端板１３に設けられたポートであってよく、例えば、ＵＳＢポートまたはその他のタイプの電気ポートであり、ポートに適応する外部導線に接続して電源を入れることが必要であり、導線と電源ポート１４は、取り外し可能に接続され、例えば、充電ヘッドに接続する。
【００３１】
引き続き、図１及び図３を参照し、任意選択的に、充電アダプタ１は、充電回路１５をさらに備える。充電回路１５は、仕切り板１１の板体内に設けられ、電源ポート１４は、充電回路１５により、仕切り板１１の両側面の充電ポート１１１に電気的に接続される。任意選択的に、充電回路１５は、過電圧保護回路、過電流保護回路、過充電保護回路などのうちの一つまたは複数を有し、これによりバッテリ２を充電する過程において、過電圧、過電流または過充電によりバッテリ２を害することを防ぐ。
【００３２】
図１を参照すると、任意選択的に、仕切り板１１の背中合わせの両側面には複数の充電ポート１１１がそれぞれ設けられ、かつ仕切り板１１の各側面の複数の充電ポート１１１は、仕切り板１１の長手方向に沿って並べられて間隔をあけて設けられる。
【００３３】
さらに、複数の充電ポート１１１は、仕切り板１１の両側面においてそれぞれ対称に、または交差して設けられる。
【００３４】
任意選択的に、複数の充電ポート１１１は、例えば、携帯電話バッテリに適応する充電ポートとか、無人機バッテリに適応する充電ポートとか、カメラバッテリに適応する充電ポートなどのそれぞれ異なるタイプの充電ポート１１１であってよく、充電アダプタ１は、複数種のバッテリを充電してもよく、単一タイプのバッテリを充電してもよい。本実施例において、複数の充電ポート１１１は、すべて統一タイプの充電ポート１１１であってよく、例えば、無人機バッテリ２に適応する充電ポートである。
【００３５】
引き続き、図１及び図２を参照し、任意選択的に、各充電ポート１１１は、複数の並列に設けられた電極シート１１１１、及び電極環状部１１１２をそれぞれ備え、ここで、電極環状部１１１２は、仕切り板１１の側面から突出して設けられ、一方、電極シート１１１１は、電極環状部１１１２内の仕切り板１１の側面に設けられ、バッテリ２を充電するとき、バッテリ２の充電インターフェースは、電極環状部１１１２に挿入され、かつ電極シート１１１１に接触する。電極環状部１１１２を設けることにより、バッテリ２を充電するとき、バッテリ２の充電インターフェースと電極シート１１１１との接触箇所を遮蔽でき、接触箇所を露出することによるリスクなどを防ぐことができる。
【００３６】
図１を参照し、任意選択的に、各充電ポート１１１に対向する側板１２上の位置には凹み溝１２１が対応して設けられ、側板１２を被せ合わせるとき、充電ポート１１１は、凹み溝に収納される。即ち、電極環状部１１１２は、電極シート１１１１とともに凹み溝１２１に収納される。このようにして、収納空間をさらに節約し、充電アダプタ１の体積を減らすことができる。
【００３７】
図４を参照し、任意選択的に、側板１２の仕切り板１１から離れた側面に凸ブロック１２２が設けられ、即ち、凸ブロック１２２は、仕切り板１１の外側面から突出して設けられ、充電アダプタ１がオープン状態になるとき、側板１２を支持するためのものである。このようにして、側板１２を開けるとき、側板１２を水平または基本的に水平な状態に保ち、充電時にバッテリ２を安定して置きやすい。任意選択的に、凸ブロック１２２の外側にはプラスチックパッドが覆われる。
【００３８】
図１、図２、及び図５を参照し、任意選択的に、充電アダプタ１は、少なくとも一つの固定アセンブリを有する。少なくとも一つの固定アセンブリは、側板１２を被せ合わせるとき、側板１２を仕切り板１１に固定するためのものである。
【００３９】
図１を参照し、任意選択的に、固定アセンブリは、第１係合アセンブリ１７であり、係合部１７１、係合溝１７２を備え、ここで、係合溝１７２内の凹みは、仕切り板１１または側板１２のいずれかの側面に形成され、一方、係合部１７１は、仕切り板１１または側板１２の他方の対応する側面に突出して設けられ、側板１２を被せ合わせるとき、係合部１７１は、係合溝１７２内に係合することで側板１２を仕切り板１１に固定する。任意選択的に、固定アセンブリは、スイッチをさらに備え、スイッチは、側板１２が仕切り板１１と背中合わせになる他の側面に設けられ、側板１２を開けるとき、係合部１７１を係合溝１７２内から離脱させるためのものである。当然ながら、スイッチを設けなくてもよく、側板１２頂部に滑り防止部１２３を設け、手指で滑り防止部１２３を介して側板１２に引張力を加え、これにより係合部１７１を係合溝１７２から離脱させる。
【００４０】
さらに、各充電ポート１１１は、二つの係合部１７１に対応し、二つの係合部１７１の間の距離は、バッテリ２の充電時の両側の幅に適応し、これにより二つの係合部１７１の間にバッテリを置き、このようにして、バッテリ２を充電ポートと正確に係合して接触させることができ、即ち、係合部１７１は、バッテリ２充電時にガイド作用を有する。
【００４１】
図２を参照し、任意選択的に、固定アセンブリは、さらに磁性アセンブリ１８であってよく、第１磁性部品１８１及び第２磁性部品１８２を有する。ここで、第１磁性部品１８１は、仕切り板１１に設けられ、一方、第２磁性部品１８２は、二つの側板１２にそれぞれ対応して設けられ、側板１２を被せ合わせるとき、第１磁性部品１８１は、第２磁性部品１８２と互いに吸着して側板１２を仕切り板１１に固定する。例えば、第１磁性部品１８１は、仕切り板１１の板体内に設けてもよく、一つの第１磁性部品１８１は、二つの側板１２の二つの第２磁性部品１８２に対応できる。仕切り板１１の両側面に第１磁性部品１８１をそれぞれ設けてもよく、一つの第１磁性部品１８１は、一つの側板１２の一つの第２磁性部品１８２に対応できる。
【００４２】
図５を参照し、当然ながら、固定アセンブリは、さらにロックアセンブリ１９であってよく、フックピン１９１、押圧部１９２、及び環状リミット部１９３を備え、押圧部１９２の一端は、側板１２の外側面に枢着され、かつ側板１２の外表面に対して回転することで、押圧部１９２の他端を側板１２に固定し、または側板１２から離脱させることができる。押圧部１９２は、環状リミット部１９３の一端と回転可能に接続されることで、押圧部１９２の回転過程において環状リミット部１９３が移動するよう駆動し、フックピン１９１は、端板１３に設けられ、側板１２を被せ合わせるとき、環状リミット部１９３の他端は、フックピン１９１に引っかかり、かつ押圧部１９２の他端を押圧して環状リミット部１９３を引っ張り動かし、かつ環状リミット部１９３をフックピン１９１に互いに固定して接続させる。当然ながら、フックピン１９１、押圧部１９２、及び環状リミット部１９３の設置位置は、互いに逆でもよい。
【００４３】
図６を参照し、任意選択的に、固定アセンブリは、さらに第２係合アセンブリ２０であってよく、第２係合アセンブリ２０は、凹み部２０１、弾性凸部２０２を備え、凹み部２０１は、各側板１２の両端に設けられ、弾性凸部２０２は、二つの端板１３の対向する両端面に設けられる。各端板１３には二つの弾性凸部を備え、それぞれ仕切り板１１の両側に位置し、即ち、各端板は、仕切り板１１の両側にいずれも弾性凸部２０２が設けられ、側板１２を被せ合わせるとき、弾性凸部２０２は、凹み部２０１に係止することで側板１２を端板１３に固定する。または、弾性凸部２０２は、各側板１２の両端に設けられ、凹み部２０１は、二つの端板１３の対応する両側に設けられ、それぞれ仕切り板１１の両側に位置する。
【００４４】
さらに、第２開口アセンブリは、弾性アーム２０３をさらに備え、弾性凸部２０２は、弾性アーム２０３を介して端板１３に設けられる。側板１２を仕切り板１１に被せ合わせるとき、弾性凸部２０２は、弾性アーム２０３とともに側板１２の辺縁により端板１３内へ押し入れられ、例えば、端板１３の側辺に一定の空間を残し、弾性アーム２０３が弾性的に揺動するようにする。弾性凸部２０２が凹み部２０１に嵌合した後、弾性アーム２０３の弾性リセット作用により、弾性凸部２０２は凹み部２０１に係止する。
【００４５】
本実施例において、充電アダプタは、第１係合アセンブリ１７、磁性アセンブリ１８、ロックアセンブリ１９、及び第２係合アセンブリ２０のうちの少なくとも一種を含むことができる。例えば、本実施例の充電アダプタには同時に第１係合アセンブリ１７、磁性アセンブリ１８、ロックアセンブリ１９、及び第２係合アセンブリ２０が設けられてもよい。
【００４６】
図１及び図４を参照し、任意選択的に、充電アダプタ１は、充電表示素子１１２をさらに備え、充電表示素子１１２は、仕切り板１１に設けられ、充電アダプタ１がバッテリ２を充電する状態を表示するためのものである。例えば、充電表示素子１１２は、ＬＥＤランプであり、三種類の色を表示でき、例えば、赤色、黄色、緑色であり、通電後の充電アダプタ１がバッテリ２を充電していないとき、黄色が常灯する。少なくとも一つのバッテリ２を充電するとき、緑色ランプ黄色ランプが、緑色ランプに変わり、かつ緑色ランプが間隔をあけて点滅する。充電アダプタ１に故障が生じたとき、赤色ランプが常灯する。当然ながら、充電表示素子の表示ロジックは、必要に応じて調整できる。任意選択的に、各充電ポート１１１に充電表示素子１１２が対応して設けられることで、この充電ポート１１１がバッテリ２を充電する状態を対応して表示できる。
【００４７】
図８を参照し、本発明の充電アダプタの第二実施例は、本発明の充電アダプタの第一実施例と同じであり、主な違いは、電源ポート１４が仕切り板１１の底部に設けられることである。さらに任意選択的に、充電アダプタには凹み溝１６がさらに設けられ、凹み溝１６内の凹みは、仕切り板１１の底部に設けられ、かつ仕切り板１１の長手方向に沿って延在し、かついずれかの端板１３または少なくとも一つの端板１３を貫通する。当然ながら、二つの端板１３を貫通してもよい。電源ポート１４は、凹み溝１６内の仕切り板１１に設けられる。例えば、充電ヘッドを使用して電源ポート１４に挿入する場合、充電ヘッドは、凹み溝１６内に収納され、かつ充電ヘッドは、仕切り板の底部表面から突出せず、かつ充電ヘッドに接続される導線は、凹み溝１６の延在方向に沿って端板１３から貫通して出て電源に接続される。
【００４８】
任意選択的に、充電アダプタは、コードクリップ１６１をさらに備え、コードクリップ１６１は、凹み溝１６内に設けられ、充電ポート１４に接続される導線を固定するためのものである。例えば、コードクリップ１６１は、半開口の円弧状クリップリングであり、またはコードクリップ１６１は、凹み溝両側壁に設けられた凸点であり、球面凸点を選択できる。
【００４９】
任意選択的に、充電アダプタには円弧状溝２１がさらに設けられ、円弧状溝２１は二つの側板１２の底部にそれぞれ形成され、かつ電源ポート１４に隣接し、かつ二つの側板１２を貫通して凹み溝１６に接続されて連通する。
【００５０】
円弧状溝２１を設けることで、手指で電源ポート１４に接続された充電ヘッドなどを抜き差ししやすくなる。
【００５１】
本実施例において、仕切り板１１の底部とは、充電アダプタが、使用時に地面若しくは支持平面に置かれる面であり、または両側面の枢着箇所に近接する仕切り板１１上の面である。同じ理由により、側板１２の底部もわかる。
【００５２】
図７を参照し、本発明の無人機のバッテリを充電するための充電装置の実施例における充電装置６は、電源６１、及び上述の発明の充電アダプタの実施例の充電アダプタ６２を備え、無人機のバッテリを充電するためのものである。
【００５３】
電源６１は、交流電源または直流電源であってよく、例えば、外部接続の電圧源、蓄電池、またはリチウム電池などであり、接続コードにより充電アダプタ６２の電源ポートに接続されることができる。
【００５４】
以上を総合して、本発明の充電アダプタ及び充電装置は、充電ポート１１１を仕切り板１１に設け、かつ仕切り板１１の両側に二つの側板１２が枢着されることにより、側板１２が仕切り板１１に対して回転でき、充電アダプタがバッテリを充電するときにオープン状態になるようにし、充電しないときに折り畳み状態になるようにし、このようにして、充電アダプタの体積を効果的に減らし、充電アダプタの構造をさらにコンパクトにし、携帯しやすくし、これにより既存のタブレット型充電器の占有空間が大きく、携帯と収納が不便であるなどという課題を解決するものである。
【００５５】
以上の記載は、本発明の実施例に過ぎず、本発明の特許範囲を限定するためのものではない。本発明の明細書及び図面の内容を利用してなされた同等効果の構造または同等効果のプロセスの置換え、または直接的、若しくは間接的にその他の関連する技術分野に応用することはいずれも、同じ理由により本発明の特許保護の範囲内に含まれる。
【図１】
0006905097.tif 000002
【図２】
0006905097.tif 000003
【図３】
0006905097.tif 000004
【図４】
0006905097.tif 000005
【図５】
0006905097.tif 000006
【図６】
0006905097.tif 000007
【図７】
0006905097.tif 000008
【図８】
0006905097.tif 000009
【図９】
0006905097.tif 000010